(57)【特許請求の範囲】
【請求項１】
故人やペットの遺骨をパウダー状に粉砕して歯科用陶材のオペーク陶材と混練りし、その混練材を指輪リングやペンダントトップ等のアクセサリーを象り成形した歯科鋳造用金属材の鋳造品に形成される凹陥部に盛り上げ築成して焼付けると共に、焼付けた混練材を覆つてオペーク陶材、デンチン陶材、エナメル陶材を３層に積層して焼成し、又はエナメル陶材に着色ステイン陶材を混練りし３層に積層して焼成し、エナメル陶材の表面又はエナメル陶材に着色ステイン陶材を混練りして焼き付けた表面に着色ステイン陶材を塗布して光輝性を有するコーティング面に形成して成るメモリアルアクセサリー。
【請求項２】
デンチン陶材を省略し２層に積層して焼成した請求項１記載のメモリアルアクセサリー。
【発明の詳細な説明】
【技術分野】
【０００１】
この発明は故人やペットの遺骨を内包したメモリアルアクセサリーであつて往時を偲び心を癒すと共に、デンタルサプライを利用した審美性に勝れる装飾品である。
【背景技術】
【０００２】
１  自然の歯に最も近い歯を創る審美歯技工技術としてポーセレンテクニックがあり、これはポーセレンと呼ばれる焼物を用い、一つの基本色を決め、それに少しつづ色を加えて自然歯とそっくりに創り、強度を補強するためメタル（金属）を裏打ちに使ったメタルボンドポーセレンである。
２  亡くなられた故人のパウダー状の遺骨を、約７０％含めて焼成させ磨きあげたファインセラミック製のプレートを創り、自宅で身近な供養をするため、お墓に代わる新しい供養形態としてエターナルプレートがある。
３  埋め込まれた遺骨を破損や変色から守り、原形に保つことができるアクセサリーと、その製造方法して例えば特開２００５−２７７１４（特許文献１）がある。この発明は、表面を洗浄した遺骨を、硬化剤を混合したエポキシ樹脂を入れた容器に完全に漬け込み、該容器をデシケータ内に静置し、真空ポンプにより減圧して遺骨の表面及び微細な空孔内にエポキシ樹脂を含浸させ、その後、遺骨を減圧から解放して取り出しエポキシ樹脂を硬化させ、その保護処理が施された遺骨を透明の成型材料の所望位置に埋め込みながらアクセサリーを成型製造するものである。
４  故人やペットの毛髪或いは遺骨を光硬化型合成樹脂に埋め込み強力な紫外線等の照射により速やかに密封保存した固形物を、クリスタルガラス等に一体化してメモリアル装身具とする例えば特開２００６−２５５３６７（特許文献２）がある。
この発明は、故人やペットの毛髪或いは遺骨を埋設した光硬化型合成樹脂を光照射装置により短時間で硬化させることと、毛髪或いは遺骨の存在を目視できるようにすることを目的としている。
【特許文献１】特開２００５−２７７１４号公報
【特許文献２】特開２００６−２５５３６７号公報
【発明の開示】
【発明が解決しようとする課題】
【０００３】
１  メタルボンドポーセレンは審美歯科技工技術に係る自然歯とそっくりな色相と強度を有する人工歯を創ることを目的とするものであり、そのまま直ちに本願発明に係るメモリアルアクセサリーに転用し得るものではない。
【０００４】
２  エターナルプレートは新しい供養形態を目的とするプレートであり、プレート自体はメタルで補強する必要がなく、そのまま直ちに本願発明に係るメモリアルアクセサリーに転用し得るものではない。
【０００５】
３  透明な成型材料に埋め込まれると共に破損や変色から守る保護処理が施され原形が保たれている遺骨は生々しく視認できるためアクセサリーとしての審美性に欠ける。
【０００６】
４  生々しく目視できる遺骨等を光硬化型合成樹脂に埋め込み強力な紫外線等の照射により速やかに密封保存したものは審美性に欠け、そのまま直ちに本願発明に係るメモリアルアクセサリーに転用し得るものではなく、クリスタルガラス等に一体化してのアクセサリーである。
【課題を解決するための手段】
【０００７】
本願発明は、故人やペットの遺骨をパウダー状に粉砕して歯科用陶材のオペーク陶材と精製水を用いて混練りし、その混練材をリングやペンダントトップ等のアクセサリーを象り成形した歯科鋳造用金属材の鋳造品に設けた凹陥部に盛り上げ築成して真空焼成し、徐冷後その盛り上がり築成部と凹陥部の周りの金属部分にオペーク陶材を築成して真空焼成し、徐冷後、真空焼成されたオペーク陶材の周りにデンチン陶材を築成して真空焼成し、徐冷後、デンチン陶材の表面をハンドエンジン等を用いて形を整えたのち洗浄する。デンチン陶材の周りをエナメル陶材や、エナメル陶材に少量の着色ステイン陶材を混ぜたものを築成して真空焼成し、徐冷後、その真空焼成した表面をハンドエンジン等を用いてリングやペンダントトップ等に形態修正し、更に表面を洗浄後、着色ステイン陶材を専用ステイン液で練り薄く塗布して大気焼成するのであり、大気焼成したコーティング面を赤色、緑色、青色、茶色等の宝石色に着色したことにより、自然色に近似する白色を基本色相とするパウダー状の遺骨と上記の歯科用ポーセレン材の混練材からなる焼付け築成部の盛り上がりが質感に富むと共にコーティング面が宝石のように光輝するため人目を惹き、且つ遺骨の生々しさは表われず審美性のあるメモリアルアクセサリーを成形製造することを目的とする。
【発明の効果】
【０００８】
このメモリアルアクセサリーを見る度に故人やペットの往時の姿を偲び心を癒すことができ、透明でもなく完全な不透明でもない質感が人目を惹き、且つ歯科用ポーセレン材の混練材がリングやペンダントトップ等のアクセサリーを象り成形した歯科鋳造用の陶材焼付貴金属合金に堅牢に焼き付けられ、更に自然色に近似する白色を基本色相とするリングやペンダントトップの表面において、エナメル陶材に赤色、緑色、青色、茶色等の着色ステイン陶材を混練りして焼き付けると共に着色ステイン陶材を塗布したコーティング面が宝石のように光輝するため装飾品として好適なメモリアルアクセサリーを成形製造できる。
【発明を実施するための最良の形態】
【０００９】
故人やペットの遺骨をパウダー状に粉砕して歯科用陶材のオペーク陶材と精製水を用いて混練りし、図１及び図２に示すように混練材１を歯科鋳造用の貴金属合金を用い指輪に象って鋳造したリング６の所望位置に設けているスプーン状の凹陥部６ａに盛り上がらせ築成して真空焼成し、徐冷後その焼付けられた混練材１を覆うように取り囲んで凹陥部６ａを含むリング６の金属色を隠蔽する不透明なオペーク陶材２を築成して真空焼成し、徐冷後、オペーク陶材２を覆つて焼結温度が順次に低くなる半透明なデンチン陶材３を築成して真空焼成し、徐冷後、デンチン陶材３の表面をハンドエンジン等を用いて整形したのち洗浄する。デンチン陶材３の整形部を覆って透明なエナメル陶材４や、エナメル陶材４に赤色、緑色、青色、茶色等の着色ステイン陶材を混練りしたものを築成して真空焼成し、徐冷後、その真空焼成部の表面を、ハンドエンジン等を用いて雫形やビーンズ形やハート形等に形態修正し、その表面を洗浄後、着色ステイン陶材を専用ステイン液で練り薄く塗布して大気焼成することによりコーティング面５が宝石のように光輝する指輪等のメモリアルアクセサリーを成形製造する。勿論、オペーク陶材２とエナメル陶材４の２層に積層しデンチン陶材３を省略してもよい。
他の実施形態として、図３、図４及び図５に示すように、歯科鋳造用の貴金属合金を用いハート形に象ったハート形プレート７を鋳造し、シャンク８と貴金属製のチエン９を連結する吊環１０と、スプーン状の凹陥部１１をハート形プレート７に一体的に取り付け、凹陥部１１に前記混練材１を盛り上げて築成し、築成され盛り上がっている混練材１とシャンク８の一部を覆うように取り囲んで、ハート形プレート７の金属色を隠蔽する不透明なオペーク陶材２と、オペーク陶材２を覆つて焼結温度が順次に低くなる半透明なデンチン陶材３と、表面を整形したデンチン陶材３を覆う透明なエナメル陶材４や、エナメル陶材４に赤色、緑色等の着色ステイン陶材を混練りし、それらをハート形プレート７を覆って真空焼成すると共に徐冷後、その表面をハンドエンジン等を用いて雫形やビーンズ形やハート形等に形態修正し、修正後、その表面を洗浄して着色ステイン陶材を専用ステイン液で練つたものを薄く塗布して大気焼成すると、ハート形プレート７に形成されるコーティング面１２が宝石のように光輝するハート形ペンダントトップ１３のメモリアルアクセサリーを成形製造できる。この場合も前記のようにオペーク陶材２とエナメル陶材４の２層に積層しデンチン陶材３を省略してもよい。
他の実施形態として、図６及び図７に示すように、雫形に象ったペンダントトップ１４や、楕円形のペンダントトップ或いはビーンズ形のペンダントトップ（図示せず）を成形製造できる。
【００１０】
この発明を活用した他のメモリアルアクセサリーとして、ブローチ、数珠、キーホルダー、ネックレス、ネクタイピン、携帯電話のストラップ等が考えられる。
【図面の簡単な説明】
【００１１】
【図１】パウダー状に粉砕した遺骨と歯科用陶材のオペーク陶材の混練材を、歯科鋳造用の貴金属合金を用い指輪に象って鋳造したリングの凹陥面に盛り上げ築成して真空焼成すると共に、盛り上がった焼成部を覆うオペーク陶材、デンチン陶材、エナメル陶材又はエナメル陶材と着色ステイン陶材の混練材を築成した３層に真空焼成し、更にエナメル陶材又はエナメル陶材と着色ステイン陶材を混練りし築成した真空焼成部の表面に、着色ステイン陶材を専用ステイン液で練つたものを塗布して大気焼成することにより宝石のように光輝するコーティング面が形成されている指輪形のメモリアルアクセサリーを示す正面図。
【図２】同、斜視図。
【図３】パウダー状に粉砕した遺骨と歯科用陶材のオペーク陶材との混練材を、歯科鋳造用の貴金属合金を用いハート形に象って鋳造したハート形プレートの凹陥面に盛り上げ築成し焼付けると共に、盛り上がった焼成部をオペーク陶材、デンチン陶材、エナメル陶材又はエナメル陶材と着色ステイン陶材の混練材からなる３層に覆い、その表面に着色ステイン陶材を専用ステイン液で練つたものを塗布し大気焼成することにより宝石のように光輝するコーティング面が形成されているペンダントトップ形のメモリアルアクセサリーを示す正面図。
【図４】同、側面図。
【図５】遺骨と歯科用陶材のオペーク陶材の混練材を盛り上げ築成する凹陥部にシャンクと、チエンを連結する吊環を一体的に連設した部材を示す側面図。
【図６】雫形に象ったペンダントトップに成形したメモリアルアクセサリーを示す正面図。
【図７】同、側面図。
【符号の説明】
【００１２】
１  混練材    ２  オペーク陶材  ３  デンチン陶材  ４  エナメル陶材
５、１２  コーティング面  ６  指輪リング  ７  ハート形プレート  
６ａ、  １１  凹陥部    １２  コーティング面  
１３、１４  ペンダントトップ
【図１】
0005112781.tif 000002
【図２】
0005112781.tif 000003
【図３】
0005112781.tif 000004
【図４】
0005112781.tif 000005
【図５】
0005112781.tif 000006
【図６】
0005112781.tif 000007
【図７】
0005112781.tif 000008